【手続補正書】
【提出日】平成18年12月27日(2006.12.27)
【手続補正１】
【補正対象書類名】特許請求の範囲
【補正対象項目名】全文
【補正方法】変更
【補正の内容】
【特許請求の範囲】
【請求項１】
時刻証明情報を発行する発行装置とのデータ通信が可能な情報処理装置が行う情報処理方法であって、
電子文書を取得する電子文書取得工程と、
前記電子文書取得工程で取得した電子文書に基づく値を計算する計算工程と、
当該電子文書について前記計算工程で計算した値と、当該電子文書よりも前に前記計算工程で計算した他の電子文書の値とに基づくリンク情報を作成するリンク情報作成工程と、
前記リンク情報作成工程で作成されたリンク情報と当該電子文書とを関連づけて格納する第１の格納工程と、
前記電子文書取得工程で取得した電子文書に対する時刻証明情報を前記発行装置から取得する処理を、予め設定されたタイミング毎に行う時刻証明情報取得工程と、
前記電子文書取得工程で取得した電子文書に対する時刻証明情報を、当該電子文書と関連付けて格納する第２の格納工程と
を備えることを特徴とする情報処理方法。
【請求項２】
前記時刻証明情報取得工程では、予め決められた時刻近傍に前記電子文書取得工程で取得した電子文書に対する時刻証明情報を前記発行装置から取得する処理を、予め決められたそれぞれの時刻毎に行うことを特徴とする請求項１に記載の情報処理方法。
【請求項３】
前記時刻証明情報取得工程では、前記電子文書取得工程で予め設定された個数間隔で取得した電子文書に対する時刻証明情報を前記発行装置から取得することを特徴とする請求項１または２に記載の情報処理方法。
【請求項４】
前記リンク情報作成工程で作成したリンク情報を閲覧可能な第１の文書情報を作成する第１の文書情報作成工程をさらに備え、
前記時刻証明情報取得工程では、前記第１の文書情報作成工程で作成された前記第１の文書情報に対する時刻証明情報を前記発行装置から取得すること
を特徴とする請求項１乃至３の何れか１項に記載の情報処理方法。
【請求項５】
前記第１の文書情報作成工程では、予め決められた時刻近傍に前記電子文書取得工程で取得した電子文書について前記リンク情報作成工程で作成したリンク情報を閲覧可能な第１の文書情報を作成すること
を特徴とする請求項４に記載の情報処理方法。
【請求項６】
前記第１の文書情報作成工程では、前記電子文書取得工程で予め設定された個数間隔で取得した電子文書について前記リンク情報作成工程で作成したリンク情報を閲覧可能な第１の文書情報を作成すること
を特徴とする請求項４または５に記載の情報処理方法。
【請求項７】
前記計算工程では、ハッシュ値を計算することを特徴とする請求項１乃至６の何れか１項に記載の情報処理方法。
【請求項８】
更に、
前記電子文書取得工程で最初の電子文書を取得する前に、固定長のデータを生成する固定長データ生成工程と、
前記固定長データ生成工程で生成したデータが閲覧可能な第２の文書情報を作成し、当該第２の文書情報に対する時刻証明情報を前記発行装置から取得する第１の時刻証明情報取得工程と、
前記第２の文書情報に基づく値を計算する第１の計算工程と、
前記第２の文書情報と、前記第１の時刻証明情報取得工程で取得した時刻証明情報と、を関連付けて格納する第３の格納工程と、
前記電子文書取得工程で最初の電子文書を取得すると、当該電子文書のデータと、当該電子文書について前記計算工程で計算した値と前記第２の文書情報について前記第１の計算工程で計算した値とから前記リンク情報作成工程で作成したリンク情報と、を関連付けて格納する第４の格納工程と
を備えることを特徴とする請求項１乃至５の何れか１項に記載の情報処理方法。
【請求項９】
前記電子文書は、電子メールを含むことを特徴とする請求項１乃至８の何れか１項に記載の情報処理方法。
【請求項１０】
時刻証明情報を発行する発行装置とのデータ通信が可能な情報処理装置であって、
電子文書を取得する電子文書取得手段と、
前記電子文書取得手段が取得した電子文書に基づく値を計算する計算手段と、
当該電子文書について前記計算手段が計算した値と、当該電子文書よりも前に前記計算手段が計算した他の電子文書の値とに基づくリンク情報を作成するリンク情報作成手段と、
前記リンク情報作成手段によって作成されたリンク情報と当該電子文書とを関連づけて格納する第１の格納手段と、
前記電子文書取得手段が取得した電子文書に対する時刻証明情報を前記発行装置から取得する処理を、予め設定されたタイミング毎に行う時刻証明情報取得手段と、
前記電子文書取得手段が取得した電子文書に対する時刻証明情報を、当該電子文書と関連付けて格納する第２の格納手段と
を備えることを特徴とする情報処理装置。
【請求項１１】
時刻証明情報を発行する発行装置とのデータ通信が可能な情報処理装置と、電子文書を保持するメールサーバ装置とを含むシステムであって、
前記情報処理装置は、
前記メールサーバ装置から電子文書を取得する電子文書取得手段と、
前記電子文書取得手段が取得した電子文書に基づく値を計算する計算手段と、
当該電子文書について前記計算手段が計算した値と、当該電子文書よりも前に前記計算手段が計算した他の電子文書の値とに基づくリンク情報を作成するリンク情報作成手段と、
前記リンク情報作成手段によって作成されたリンク情報と当該電子文書とを関連づけて格納する第１の格納手段と、
前記電子文書取得手段が取得した電子文書に対する時刻証明情報を前記発行装置から取得する処理を、予め設定されたタイミング毎に行う時刻証明情報取得手段と、
前記電子文書取得手段が取得した電子文書に対する時刻証明情報を、当該電子文書と関連付けて格納する第２の格納手段と
を備えることを特徴とするシステム。
【請求項１２】
コンピュータに請求項１乃至９の何れか１項に記載の情報処理方法を実行させる為のコンピュータプログラム。
【手続補正２】
【補正対象書類名】明細書
【補正対象項目名】００２３
【補正方法】変更
【補正の内容】
【００２３】
本発明の目的を達成するために、例えば本発明の情報処理方法は以下の構成を備える。
【手続補正３】
【補正対象書類名】明細書
【補正対象項目名】００２４
【補正方法】変更
【補正の内容】
【００２４】
即ち、時刻証明情報を発行する発行装置とのデータ通信が可能な情報処理装置が行う情報処理方法であって、
電子文書を取得する電子文書取得工程と、
前記電子文書取得工程で取得した電子文書に基づく値を計算する計算工程と、
当該電子文書について前記計算工程で計算した値と、当該電子文書よりも前に前記計算工程で計算した他の電子文書の値とに基づくリンク情報を作成するリンク情報作成工程と、
前記リンク情報作成工程で作成されたリンク情報と当該電子文書とを関連づけて格納する第１の格納工程と、
前記電子文書取得工程で取得した電子文書に対する時刻証明情報を前記発行装置から取得する処理を、予め設定されたタイミング毎に行う時刻証明情報取得工程と、
前記電子文書取得工程で取得した電子文書に対する時刻証明情報を、当該電子文書と関連付けて格納する第２の格納工程と
を備えることを特徴とする。
【手続補正４】
【補正対象書類名】明細書
【補正対象項目名】００２６
【補正方法】変更
【補正の内容】
【００２６】
即ち、時刻証明情報を発行する発行装置とのデータ通信が可能な情報処理装置であって、
電子文書を取得する電子文書取得手段と、
前記電子文書取得手段が取得した電子文書に基づく値を計算する計算手段と、
当該電子文書について前記計算手段が計算した値と、当該電子文書よりも前に前記計算手段が計算した他の電子文書の値とに基づくリンク情報を作成するリンク情報作成手段と、
前記リンク情報作成手段によって作成されたリンク情報と当該電子文書とを関連づけて格納する第１の格納手段と、
前記電子文書取得手段が取得した電子文書に対する時刻証明情報を前記発行装置から取得する処理を、予め設定されたタイミング毎に行う時刻証明情報取得手段と、
前記電子文書取得手段が取得した電子文書に対する時刻証明情報を、当該電子文書と関連付けて格納する第２の格納手段と
を備えることを特徴とする。
【手続補正５】
【補正対象書類名】明細書
【補正対象項目名】００２８
【補正方法】変更
【補正の内容】
【００２８】
即ち、時刻証明情報を発行する発行装置とのデータ通信が可能な情報処理装置と、電子文書のデータを保持するメールサーバ装置とを含むシステムであって、
前記情報処理装置は、
前記メールサーバ装置から電子文書のデータを取得する電子文書取得手段と、
前記電子文書取得手段が取得した電子文書のデータに基づく値を計算する計算手段と、
当該電子文書について前記計算手段が計算した値と、当該電子文書よりも前に前記計算手段が計算した他の電子文書の値とに基づくリンク情報を作成するリンク情報作成手段と、
前記リンク情報作成手段によって作成されたリンク情報と当該電子文書とを関連づけて格納する第１の格納手段と、
前記電子文書取得手段が取得した電子文書に対する時刻証明情報を前記発行装置から取得する処理を、予め設定されたタイミング毎に行う時刻証明情報取得手段と、
前記電子文書取得手段が取得した電子文書に対する時刻証明情報を、当該電子文書と関連付けて格納する第２の格納手段と
を備えることを特徴とする。
【手続補正６】
【補正対象書類名】明細書
【補正対象項目名】００６６
【補正方法】変更
【補正の内容】
【００６６】
次に、ステップＳ５０２で圧縮した電子メールのデータに基づいて、ＨＡＳＨ値を計算し、ＨＡＳＨデータを得る（ステップＳ５０３）。さらに、ステップＳ４０５で得たリンクデータとステップＳ５０１で発行したシリアル番号およびステップＳ５０３で得たＨＡＳＨデータをもとにＨＡＳＨ計算し、リンクデータを求める（ステップＳ５０４）。